(57)【要約】      （修正有）【課題】型材の重さを相殺するような、自由にコントロールできる負圧を掛け、乳房がふくらんだ状態を保持した上で型取りを行う方法を提供する。【解決手段】中央部に乳房用の穴を開けた平板部１と、これと一体化する透明な筒部２を乳房上に被せ、押しつけて体表面との水密を保った上で、上から短時間に固化する型材用の流動体を注ぎ入れ、流動体が固化する前に素早く気密性のある蓋部５を被せて、中の空気を予め確認しておいた所定の負圧まで下げて保持する。流動体が固化したら空気を戻し、蓋部５を外した上で固化した流動体を含む平板部１と蓋部５を体表面から取り外して型取りを行う。【選択図】図１
2010188109.tif 000002
【特許請求の範囲】
【請求項１】
人間の乳房より型取りを行う方法において、中央に乳房用の穴を開けた平板部と筒部とが一体化したものの平板部側を乳房上に被せ、筒部側から短時間に固化する流動体を入れて、筒側とのシール性を持ち真空ポンプに接続する蓋部を被せて素早く中の空気を抜き、乳房がふくらんだ状態で流動体を固化させて、その後に空気を戻して蓋を外し、固化した流動体を含む筒部および平板部を取り外して型取りを行う方法。
【請求項２】
請求項１の型取りにおいて、平板部の穴の径は３ｃｍ程度から１０ｃｍを越える径まで考えられるが、７ｃｍを越える比較的大きな径では特に胸面部との密着性を良くして空気の侵入を防ぐために、平板の外周近くに体の上下方向に低く、左右方向に高い、内側は滑らかに穴につなぐ土手を形成させるか、または平板自身を体表面の形状に合わせ変形させたものを使用して体との密着性を良くし空気の侵入を防ぐ方法。
【請求項３】
請求項１の平板部の体表面に接する側の面において、乳房用の穴の端より５〜２０ｍｍ離れた位置を一周するように深さ１ｍｍ前後、幅２〜４ｍｍ程度の空気抜き用の溝を構成させ、溝より１または複数箇所、平板部を貫通する空気抜き管を付け、この空気抜き管は平板部と一体を成す筒部の上端近くで開放し、筒部上部の空気を抜くとき溝の空気も同時に抜けるようにして、体との接触部から流動体への空気の侵入を防ぐ方法。
【請求項４】
請求項１の筒部として上部が狭い透明な円錐筒を使用し、円錐筒にはオーリングを嵌めてシールとし、真空ポンプに接続するパイプを持つ傾斜が同じ円錐台の蓋部を上から被せて空気を抜くようにする筒部と蓋部の構造およびシール方法。
【請求項５】
請求項１の短時間（数分）で固化する流動体として、市販の急硬セメントを重量比で急硬セメント６０％に対し、水を加えた時の温度上昇を抑えるための石膏を５％程度加えた混合物と水３０〜４０％を混ぜて、なるべく気泡を入れずに撹拌するという型材用流動体の作成方法。
【請求項６】
請求項１の方法で型取りした凹型に硬化剤を入れたシリコーンゴム等を注ぎ入れ、固化した後に凸型を取り出して、加工や修正を加え、これをマスター型として製品用の凹型を作成し、製品用の凹型から製品を作成する作成方法および作成した製品。
【発明の詳細な説明】
【技術分野】
【０００１】  本発明は実際の人間の乳房より装飾性のある乳房の型取りを行うためのものであるが、本発明の負圧による型取り法は、変形しやすい乳房から型材の重さを相殺できることで、医療補綴用としての使用も可能と考えられる。
【背景技術】
【０００２】  実際の人間の乳房は柔らかいため、堅いものに対するような型取り方法では変形したりつぶれてしまう。従来からの乳房型取り法としては、医療補綴用としての要請から下記のようなものがあり、主に乳房に型材を塗布するという方法で行われていて、負圧を利用するという方法は行われていない。
【公報文献１】
公開特許公報  特開平９−２７６３０６号公報
手術前の乳房を型取り材で型取りして、手術後の補綴に使用しようとするもので、乳頭部と、皮膚面部と乳房内部をシリコン樹脂で、皮膚接着部を医療用粘着シートで形成する人工乳房であるが、型取りの具体的な方法について記されていない。
【公報文献２】
公表特許公報  特表平１０−５０２００７号公報
医学的な人工乳房の製造方法について記されており、手術前の乳房を型取りしておいて手術欠損後の補綴用に使用することを主とするもので、型取りは立った状態の人間に型材（アルギン酸）を塗布する方法で行われており、負圧による吸引は行われていない。
【公報文献３】
公開特許公報  特開２００２−３４５８６０号公報
医学用を主に、健常側の乳房よりシリコン塗布により、薄く型取りしたカップ状のものを反転させて対照的な形状を得て、欠損側の補綴用にしようとするもので、負圧による吸引は行われていない。
【発明の開示】
【発明が解決しようとする課題】
【０００３】  本発明は実際の人間の乳房から装飾性のある型取りを行おうとするものであるが、実際の人間の乳房は柔らかいため、堅いものに対するような型取り方法では変形してしまう。本発明では型材の重さを相殺するような、自由にコントロールできる負圧を掛け、乳房がふくらんだ状態を保持した上で型取りを行おうとするものである。そのためには中央部に乳房用の穴を開けた平板部と、これと一体化する透明な筒部を乳房上に被せ、押しつけて体表面との水密を保った上で、上から短時間に固化する型材用の流動体を注ぎ入れ、流動体が固化する前に素早く気密性のある蓋部を被せて、中の空気を予め確認しておいた所定の負圧まで下げて保持する。流動体が固化したら空気を戻し、蓋部を外した上で固化した流動体を含む平板部と筒部を体表面から取り外して型取りを行う。乳房の型取りは医療用の場合はかなり広い範囲から取る必要があると思われるが、装飾用としては、小は３ｃｍ程度から、大は１０ｃｍを越える径までが考えられ、ふくらみの自由度も必要である。
【課題を解決するための手段】
【０００４】  平板部については体表面との接触面を広くする必要、および型取り径が３ｃｍ程度から大は１０ｃｍを越える径までを考慮している関係上、また型材用流動体を注ぐ前に、ある程度押さえておく必要上、筒部と一体を成す平板部を設けて体表面との接触面とする。平板部のほぼ中央に開ける型取り用の穴は通常は円形であるが、７ｃｍを越える穴径では楕円または不規則な形もあり得る。また平板部は７ｃｍ以下程度の穴径では平板でよいが、７ｃｍを越える穴径では、特に横方向で体表面との隙間が出来易く、水密、気密が難しいため、平板の外周近くに体の上下方向に低く、左右方向に高い、内側は滑らかに穴につなぐ土手を形成させるか、または平板自身を体表面の形状に合わせて変形させたものを使用して体との密着性を良くする。特に医療補綴用の場合は、平板自身を体表面に合わせ変形させる方法が必要と思われる。また体をある程度起こした状態（例６０°）で型取りする場合の筒部は円錐筒を折り曲げたような形状も考えられる。なお体表面との水密、気密、および位置の安定のために平板部の外周上面を押さえておく必要があるが、このためには蓋部の着脱に邪魔にならない高さの押さえ用円筒に重りを付けて押さえるか、または押さえ用円筒にフックを付けて体を一周するバンド等で押さえるとよい。【０００５】  筒部の上部からは短時間で固化する型材用流動体を乳房が充分隠れる位置まで注ぎ入れるが、流動体は数分で固化するため、固化する前に素早く気密性のある蓋部を被せて空気を抜く必要がある。筒部の上方の空気を抜く時、平板と体表面間からごく少量でも空気が入ると固化前の流動体下部に気泡塊が出来ることになる。これを防ぐため、平板部の体表面に接する面に、中央の穴の端より５〜２０ｍｍ離れた位置を一周するように深さ１ｍｍ前後、幅２〜４ｍｍ程度の空気抜き用の溝を構成させ、溝より１または複数箇所、平板部を貫通する空気抜き穴を開けて、この空気抜き穴に空気抜き管を付け、この空気抜き管は平板部と一体を成す筒部の上端近くで開放し、筒部上部の空気を抜くとき溝の空気も同時に抜けるようにして、体との接触部から流動体への空気の侵入を防ぐ。【０００６】  筒部と蓋部との気密および作業のしやすさ上、筒部は透明な材質で５〜１０°程の斜面角度を持つ円錐筒形とし、蓋も同材質で同角度を持つ円錐台形が望ましい。シール方法は筒側斜面にオーリングを嵌め、すぐ上側にオーリングの位置を安定させるため幅広ゴムバンドを嵌める。蓋部からはパイプを出して負圧計および調整バルブを持つ真空ポンプに接続する。流動体を入れる前に装置の気密性や乳房のふくらみ程度を確認し、負圧計で負圧の目標値を定めておく。確認テスト後、蓋部を外して用意した流動体を入れ、素早く蓋部を被せて真空ポンプを作動させ、流動体が固化するまで負圧の目標値を保つ。固化後は調整バルブで空気を戻して蓋部を外し、固化した流動体を含む筒部およびこれと一体を成す平板部を体表部から外す。型取り後の体表部は濡れタオル等でよく拭いておく。【０００７】  筒部の上部から入れる数分間で固化する型材用流動体の一例としては、市販の急硬セメントを重量比で急硬セメント６０％に対し、水を加えた時の温度上昇を抑えるため石膏を５％程度を加えてよく混ぜたものを用意しておき、先が細い薄膜袋に水３０〜４０％を入れ、これに用意した急硬セメント混合物を加えて袋上より揉むように撹拌し、蓋を外した筒中に袋の先端を入れて、袋の先端近くを袋の先を切り落とさない程度に鋏等で切り破り中身を絞り入れるとよい。【０００８】  流動体が固化後、体表部から取り外した凹型は乾燥させた後、石鹸水または油脂系の離型剤等を塗って、硬化剤を入れて撹拌後のシリコーンゴムを注ぎ、固化した後にセメントを割るようにして凸型を取り出す。取り出した凸型はマスター型として、製品を意識した加工および修正を加えた後、このマスター型を元に製品用の凹型を、注型用ポリウレタン樹脂等で作成し、この製品用の凹型からシリコーンゴム製等の製品を作成する。
【発明の効果】
【０００９】  本発明により、柔らかい人間の乳房から型材による変形をなくして、型材の重さを相殺したふくらんだ乳房の型取りを得ることができる。
【発明を実施するための最良の形態】
【００１０】  図１に本発明の乳房型取り器の一例を示す。図において１は乳房に直接接触する平板部で、２は平板部と一体化した筒部である。筒部にはシール用のオーリング３が嵌められており、すぐ上側にはオーリングの位置を安定させるための幅広ゴムバンド４が嵌められている。５は筒部に被せる蓋部で、上方からはパイプ６を出して、負圧計７、および調整バルブ８を持つ真空ポンプ９に接続する。１０は平板部１を押さえておくための重り用円筒である。【００１１】  図２は図１の重り用円筒１０の代わりに、バンド用円筒１１とバンド１２を使用した別例で、水平以外の場合でも使用できる。【００１２】  図３は平板部１と一体化した筒部２について、流動体を入れた後、筒部の上方の空気を抜く時に気泡塊ができる元になる、平板と体表面の間から入ろうとするごく少量の空気を抜くための装置を加えたもので、平板の体表面側に乳房用の穴１３から少し離れた位置を一周する深さ１ｍｍ前後の溝１４を構成させ、溝より平板部を貫通する空気抜き管１５を立て、筒部の上端近くで開放するものである。空気抜き管の上方は粘着テープ１６で止めている。【００１３】  図４は本発明に使用の固化用流動体の作成法の一例を示すもので、市販の樹脂製薄膜袋の下方片側を斜めに細かく折り曲げた状態を粘着テープ１６で止め、先が細い薄膜袋１７を用意する。薄膜袋に水３０〜４０％１８を入れて、これに用意した急硬セメント混合物１９を加え、袋上より揉むように撹拌して流動体２０を作成する。【００１４】  図５は既に位置決めとセットをし終えた状態の装置に流動体を入れる方法を示す断面図である。筒部の上方より流動体２０の入った袋の先端を少し入れて、袋の先端近くを袋の先を切り落とさない程度に鋏２１で切り破り中身を絞り入れ、素早く蓋部５を被せて所定の負圧力で空気を抜く。なお流動体は数分で固化するため、流動体固化後は調整バルブにより空気を戻して蓋部を外し、装置を取り外した上で、充分乾燥させる。乾燥後は石鹸水または油脂系の離型剤等を塗って、硬化剤を入れたシリコーンゴムを注ぎ、固化した後にセメントを割るようにして凸型を取り出し、取り出した凸型をマスター型として、製品を意識したグラインダー加工や修正を加える。このマスター型を元に製品用の凹型を注型用ポリウレタン樹脂等で作成して、この製品用の凹型からシリコーンゴム製等の製品を作成する。【００１５】  図６は体表面を６０°程度起こした状態で型取りする場合の方法を示す断面図である。筒部２は上端が上方を向くよう折れ曲げた形状とする。これに伴い空気抜き管１５も折れ曲がった形状にする。装置を押さえておくものも重りによる方法ではなく、図２のバンド用円筒１１の方がよい。また別に、流動体を含む装置の重さを支える支え部２２が必要である。【００１６】  図７は平板部１における乳房用の穴１３が７ｃｍを越える穴径の場合は、平板部の特に横方向で体表面との隙間が出来易く、水密、気密が難しいため、体表面側平板の外周近くに体の上下方向に低く、左右方向に高い、内側は滑らかに穴につなぐ土手２３を形成させた例を示す断面図である。この場合も溝１４および空気抜き管１５はあった方がよい。【００１７】  図８は平板部１における乳房用の穴１３が７ｃｍを越える穴径の場合の体表面との隙間を防ぐ別例で、平板自身を体表面の形状に合わせて変形させて密着性を良くする例を示す断面図である。この場合も溝１４および空気抜き管１５はあった方がよい。【００１８】  図９は本発明により型取りされた製品の例を示す斜視図で、吊り下げ用のフック２４を乳房の形２５の上部に差し込んだものである。【００１９】  図１０は本発明により型取りされた製品の別例を示す断面図で、裏側上部に引っ掛け用の穴２６を構成したものである。【００２０】  図１１は本発明により型取りされた製品の別例を示す断面図で、乳首部２７を別材料にして色合いを変え、乳房内側にはスポンジ状体２８を入れて固化させたもので、軽量化と感触の変化を図ったものである【００２１】  図１２は体表面への装着を考慮したもので、裏面は体表面の形状に合う曲面とし、裏面の中央付近に空洞２９を構成したものである。体表面との接触部には粘着シート３０が貼ってある。
【図面の簡単な説明】
【００２２】
【図１】  本発明の乳房型取り装置の一例を示す斜視図
【図２】  本発明の乳房型取り装置の別例を示す斜視図
【図３】  平板部の体表面側から流動体への微量な空気の侵入を防ぐための溝、および空気抜き管の詳細を示す断面図および下から見た平面図である。
【図４】  本発明に使用する固化用流動体の作成法の一例を示す説明図
【図５】  セットをし終えた状態の装置に流動体を入れる方法を示す断面図である。
【図６】  体表面を約６０°起こした状態で型取りする場合の方法を示す断面図である。
【図７】  乳房用の穴が比較的大きい場合の体表面との隙間を防ぐため、体表面側平板の外周近くに体の上下方向に低く、左右方向に高い、内側は滑らかに穴につなぐ土手を形成させた例を示す断面図である。
【図８】  乳房用の穴が比較的大きい場合の体表面との隙間を防ぐ別例で、平板自身を体表面の形状に合わせて変形させて密着性を良くする例を示す断面図である。
【図９】  本発明により型取りされた製品の例を示す斜視図
【図１０】  本発明により型取りされた製品の別例を示す断面図
【図１１】  本発明により型取りされた製品の更に別例を示す断面図
【図１２】  本発明により型取りされた製品の更に別例を示す断面図
【符号の説明】
【００２３】  １      平板部
２      筒部
３      オーリング
４      幅広ゴムバンド
５      蓋部
６      パイプ
７      負圧計
８      調整バルブ
９      真空ポンプ
１０    重り用円筒
１１    バンド用円筒
１２    バンド
１３    乳房用の穴
１４    溝
１５    空気抜き管
１６    粘着テープ
１７    薄膜袋
１８    水
１９    急硬セメント混合物
２０    流動体
２１    鋏
２２    支え部
２３    土手
２４    フック
２５    乳房の形
２６    引っ掛け用の穴
２７    乳首部
２８    スポンジ状体
２９    空洞
３０    粘着シート
【図１】
2010188109.tif 000003
【図２】
2010188109.tif 000004
【図３】
2010188109.tif 000005
【図４】
2010188109.tif 000006
【図５】
2010188109.tif 000007
【図６】
2010188109.tif 000008
【図７】
2010188109.tif 000009
【図８】
2010188109.tif 000010
【図９】
2010188109.tif 000011
【図１０】
2010188109.tif 000012
【図１１】
2010188109.tif 000013
【図１２】
2010188109.tif 000014
【手続補正書】
【提出日】平成21年4月2日(2009.4.2)
【手続補正２】
【補正対象書類名】特許請求の範囲
【補正対象項目名】請求項５
【補正方法】変更
【補正の内容】
【請求項５】
請求項１の短時間（数分）で固化する流動体として、市販の急硬セメントを重量比で急硬セメント約６０％に対し、水を加えた時の温度上昇を抑えるための石膏を５％程度加えた混合物と水３０〜４０％を混ぜて、なるべく気泡を入れずに撹拌するという型材用流動体の作成方法。
【手続補正３】
【補正対象書類名】明細書
【補正対象項目名】０００７
【補正方法】変更
【補正の内容】
【０００７】  筒部の上部から入れる数分間で固化する型材用流動体の一例としては、市販の急硬セメントを重量比で急硬セメント約６０％に対し、水を加えた時の温度上昇を抑えるため石膏を５％程度を加えてよく混ぜたものを用意しておき、先が細い薄膜袋に水３０〜４０％を入れ、これに用意した急硬セメント混合物を加えて袋上より揉むように撹拌し、蓋を外した筒中に袋の先端を入れて、袋の先端近くを袋の先を切り落とさない程度に鋏等で切り破り中身を絞り入れるとよい。